(57)【要約】【課題】十分に優れたＩＶＤ生成の抑制効果、及び自動車の始動性の向上効果を示す無鉛ガソリンを提供すること。【解決手段】ポリエーテルアミン系清浄剤とポリイソブテンアミン系清浄剤を容量比にて２５：７５〜５０：５０の割合で配合してなる清浄剤を５０〜５００容量ｐｐｍ含有し、かつ、一定のリサーチ法オクタン価、モーター法オクタン価、リード蒸気圧、含酸素量、芳香族分含有量、オレフィン分含有量、ベンゼン含有量、硫黄分含有量、６０℃における気液比を有し、更に一定の式で示される多環芳香族指数（Ｙ）が６以下である無鉛ガソリン。【選択図】なし【特許請求の範囲】
【請求項１】
ポリエーテルアミン（ＰＥＡ）系清浄剤とポリイソブテンアミン（ＰＩＢＡ）系清浄剤を容量比にて２５：７５〜５０：５０の割合で配合してなる清浄剤を５０〜５００容量ｐｐｍ含有し、かつ、以下の性状を満足することを特徴とする無鉛ガソリン。
（Ａ）リサーチ法オクタン価（ＲＯＮ）が９３〜１０３
（Ｂ）モーター法オクタン価（ＭＯＮ）が８２〜９０
（Ｃ）リード蒸気圧（ＲＶＰ）が４５〜９３ｋＰａ
（Ｄ）含酸素量が０.１５〜５.３０質量％
（Ｅ）芳香族分含有量が４５容量％以下
（Ｆ）オレフィン分含有量が３０容量％以下
（Ｇ）ベンゼン含有量が１容量％以下
（Ｈ）硫黄分含有量が１０質量ｐｐｍ以下
（Ｉ）６０℃における気液比（Ｖ/Ｌ）が３０〜７０
（Ｊ）下記式（ａ）で表される多環芳香族指数（Ｙ）が、６以下
Y=（0.002×3R-A）＋（0.01×4R-A）＋（0.07×5R-A）＋（0.2×6R+-A）・・・（ａ）
（式中、３Ｒ-Ａは３環芳香族分量を表し、４Ｒ-Ａは４環芳香族分量を表し、５Ｒ-Ａは５環芳香族分量を表し、６Ｒ+-Ａは６環以上の芳香族分量を表す。なお、該芳香族分量は何れもガソリン中の含有量で質量ｐｐｍを示す。）
【発明の詳細な説明】
【技術分野】
【０００１】
本発明は、含酸素基材を配合した無鉛ガソリンに関し、詳しくは特定された清浄剤、及び特定された成分組成を有し、自動車用燃料として環境に配慮し、かつ吸気バルブの清浄性、始動性に優れた無鉛ガソリンに関する。
【背景技術】
【０００２】
環境改善に対する意識が高まる中、自動車から排出される排出ガスも環境汚染の一因とされ、それを改善するため、自動車の排出ガスの規制が年々強化されてきている。
このため、空燃比（Ａ/Ｆ）等自動車のエンジン制御の精密化、及び排出ガス浄化触媒システムによる対応が進められている。
一般に、Ａ/Ｆを精密に制御するエンジンに吸気バルブデポジット（ＩＶＤ）が生成すると、Ａ/Ｆの制御が乱れ、排出ガスが悪化することが知られている。
【０００３】
これを回避するには、ガソリンに清浄剤を添加し、ＩＶＤの生成を抑制することが考えられる。清浄剤としては、ポリエーテルアミン（ＰＥＡ）型化合物、又はポリイソブテンアミン（ＰＩＢＡ）型化合物が挙げられ、これら清浄剤のいずれか一つを含有し、特定の蒸留性状及び成分組成を有するもの（例えば、特許文献１参照）、あるいは、ポリイソブテンアミン（ＰＩＢＡ）系清浄剤のみを含有し、特定の成分組成を有するもの（例えば、特許文献２参照）が知られている。
また、ポリイソブテンアミン（ＰＩＢＡ）系清浄剤とポリエーテルアミン（ＰＥＡ）系清浄剤の両方を一定の割合で含有したもの（例えば、特許文献３参照）、ポリエーテルアミン（ＰＥＡ）系及び／又はポリイソブテンアミン（ＰＩＢＡ）系清浄剤に、特定のジアミン化合物を含有したもの（例えば、特許文献４参照）が知られている。
【０００４】
【特許文献１】特開２０００-２８２０７０号公報
【特許文献２】特開２０００-２６５１７９号公報
【特許文献３】特開平７-１７９８６９号公報
【特許文献４】特開平７-１８８６８１号公報
【発明の開示】
【発明が解決しようとする課題】
【０００５】
しかしながら、上記の特定の蒸留性状、組成を規定し、ポリエーテルアミン（ＰＥＡ）系あるいはポリイソブテンアミン（ＰＩＢＡ）系清浄剤のみを使用しているケース（特許文献１、２のケース）では、ガソリンの組成・性状を調整し、添加剤の効果を引き出すことを行っているが、清浄剤としてポリエーテルアミン（ＰＥＡ）系あるいはポリイソブテンアミン（ＰＩＢＡ）系清浄剤のいずれか一方のみを使用しているため、吸気バルブへのデポジットの付着抑制効果は、十分とは言えない。
また、ポリイソブテンアミン（ＰＩＢＡ）系清浄剤とポリエーテルアミン（ＰＥＡ）系清浄剤の両方を添加しているケース（特許文献３、４のケース）では、ガソリン自体の性状に関する規定がない。現状のガソリンにおいては、吸気バルブへのデポジットの付着抑制効果以外にも、自動車の始動性も引き上げる必要があるため、一層の改良が望まれている。
【０００６】
本発明は、上記従来の状況に鑑みてなされたものであり、十分に優れたＩＶＤ生成の抑制効果、及び自動車の始動性の向上効果を示す無鉛ガソリンを提供することを目的とする。
【課題を解決するための手段】
【０００７】
本発明者らは、上記目的を達成するために鋭意研究を重ねた結果、ポリエーテルアミン（ＰＥＡ）系清浄剤とポリイソブテンアミン（ＰＩＢＡ）系清浄剤を特定の容量比で配合することで、これらを個々に添加するよりも添加効果が優れたものとなり、更に特定量の含酸素基材を配合することでオクタン価が向上し、また、特定成分の含有量を適正に規定することで、添加する清浄剤の効果を十分に引き出し、かつ、始動性の面でも向上された特性を示すことを見出し、本発明を完成するに至った。
【０００８】
即ち、本発明は、上記目的を達成するために、以下の無鉛ガソリンを提供する。
（１）ポリエーテルアミン（ＰＥＡ）系清浄剤とポリイソブテンアミン（ＰＩＢＡ）系清浄剤を容量比にて２５：７５〜５０：５０の割合で配合してなる清浄剤を５０〜５００容量ｐｐｍ含有し、かつ、以下の性状を満足することを特徴とする無鉛ガソリン。
（Ａ）リサーチ法オクタン価（ＲＯＮ）が９３〜１０３
（Ｂ）モーター法オクタン価（ＭＯＮ）が８２〜９０
（Ｃ）リード蒸気圧（ＲＶＰ）が４５〜９３ｋＰａ
（Ｄ）含酸素量が０.１５〜５.３０質量％
（Ｅ）芳香族分含有量が４５容量％以下
（Ｆ）オレフィン分含有量が３０容量％以下
（Ｇ）ベンゼン含有量が１容量％以下
（Ｈ）硫黄分含有量が１０質量ｐｐｍ以下
（Ｉ）６０℃における気液比（Ｖ/Ｌ）が３０〜７０
（Ｊ）下記式（ａ）で表される多環芳香族指数（Ｙ）が、６以下
Y=（0.002×3R-A）＋（0.01×4R-A）＋（0.07×5R-A）＋（0.2×6R+-A）・・・（ａ）
（式中、３Ｒ-Ａは３環芳香族分量を表し、４Ｒ-Ａは４環芳香族分量を表し、５Ｒ-Ａは５環芳香族分量を表し、６Ｒ+-Ａは６環以上の芳香族分量を表す。なお、該芳香族分量は何れもガソリン中の含有量で質量ｐｐｍを示す。）
【発明の効果】
【０００９】
本発明の無鉛ガソリンは、自動車のガソリンエンジンに好適に用いられるものであって、特定の清浄剤を組合せて使用し、かつ、含酸素基材を配合しつつガソリンの性状・成分を適正に特定することで、オクタン価が高く、環境保全に優れ、吸気バルブの清浄性や始動性にも優れたものであり、優れた実用性能を維持しつつ環境保全が図れるものである。また、本発明の無鉛ガソリンでは、エンジン内のデポジット生成の原因となる多環芳香族分を環数の多いものほど含有量を順次低く制限することで、ガソリンの組成面からもエンジン内のデポジット生成、特に吸気バルブへのデポジットの付着の抑制を図り、ガソリンの性能を総合的に向上させることが可能となる。
【発明を実施するための最良の形態】
【００１０】
以下、本発明の内容を更に詳しく説明する。
本発明の無鉛ガソリンに用いられるポリエーテルアミン（ＰＥＡ）系清浄剤は、ポリエーテル化合物の末端又は中間部分にアミン基を有する化合物等が挙げられ、ポリイソブテンアミン（ＰＩＢＡ）系清浄剤は、ポリイソブテン重合体の末端又は中間部分にアミン基を有する化合物等が挙げられるが、これらポリエーテルアミン（ＰＥＡ）、ポリイソブテンアミン（ＰＩＢＡ）の製造方法は特に限定されるものではなく、一般的に製造される全てのポリエーテルアミン（ＰＥＡ）系やポリイソブテンアミン（ＰＩＢＡ）系の清浄剤が使用可能である。好ましくは数平均分子量（Ｍｎ）が１００〜１７００及び多分散度（Ｍｗ／Ｍｎ）が４．３未満であるポリエーテルアミン（ＰＥＡ）系の清浄剤や、数平均分子量（Ｍｎ）が１００〜１３００及び多分散度（Ｍｗ／Ｍｎ）が４．８未満であるポリイソブテンアミン（ＰＩＢＡ）系の清浄剤が良い。
本発明の無鉛ガソリンは、ポリエーテルアミン（ＰＥＡ）系清浄剤とポリイソブテンアミン（ＰＩＢＡ）系清浄剤を容量比にて２５：７５〜５０：５０の割合で配合してなる清浄剤を５０〜５００容量ｐｐｍ、好ましくは１００〜４００容量ｐｐｍ、より好ましくは１００〜３００容量ｐｐｍ含有しているものである。
ポリエーテルアミン（ＰＥＡ）系清浄剤とポリイソブテンアミン（ＰＩＢＡ）系清浄剤の容量比が、上記範囲内であれば、それぞれ単独使用した時よりも清浄剤同士の相乗効果により優れた清浄性能を得ることができる。
また、清浄剤の添加量が上記範囲内であれば、高いＩＶＤ清浄性を維持することが可能となる。
【００１１】
本発明の無鉛ガソリンのリサーチ法オクタン価（ＲＯＮ）は９３〜１０３、好ましくは９４〜１０３である。このＲＯＮを９３以上とすることで高い運転性を維持することが可能となり、ＲＯＮを１０３以下とすることで、芳香族系の高オクタン価基材の配合量が抑えられ、清浄性の低下を防ぐことができる。なお、このＲＯＮは、ＪＩＳ Ｋ ２２８０に準拠して測定した値である。
【００１２】
本発明の無鉛ガソリンのモーター法オクタン価（ＭＯＮ）は、８２〜９０、好ましくは８３〜９０である。このＭＯＮが８２以上であれば高速走行時のアンチノック性の低下を防止することができる。ＭＯＮが９０以下であれば、センシティビティーの小さいパラフィン系基材の配合量が抑えられ、密度の低下を防ぐことができ好ましい。なお、このＭＯＮは、ＪＩＳ Ｋ ２２８０に準拠して測定した値である。
【００１３】
本発明の無鉛ガソリンのリード蒸気圧（ＲＶＰ）は、４５〜９３ｋＰａ、好ましくは５０〜９０ｋＰａである。ＲＶＰを９３ｋＰａ以下にすることによって蒸発ガスの量を少なくすることができ、４５ｋＰａ以上とすることで低温始動性、暖気性の低下を防ぐことができる。なお、このリード蒸気圧（ＲＶＰ）は、ＪＩＳ Ｋ ２２５８に準拠して測定した値である。
【００１４】
本発明の無鉛ガソリンの含酸素量は、０.１５〜５.３０質量％、好ましくは０.３５〜５.２５質量％である。この含酸素量が上記範囲内であれば、発熱量の低下による燃費への悪影響の懸念がなく、排出ガス中のＣＯ、ＴＨＣ等の低減などを図ることができる。なお、含酸素量は、石油学会法ＪＰＩ-５Ｓ-３３-９０（ガスクロマトグラフ法）に準拠して測定した値である。
【００１５】
本発明の無鉛ガソリンは、芳香族分含有量が４５容量％以下、好ましくは５〜４５容量％である。この芳香族分含有量が４５容量％以内であれば、排出ガス中の有害成分の増加を防ぐことができる。そして、オレフィン分含有量が３０容量％以下、好ましくは５〜２７容量％である。このオレフィン分含有量が３０容量％以内であれば、酸化安定性の低下を防ぐことができる。なお、これらの芳香族分及びオレフィン分は、石油学会法ＪＰＩ-５Ｓ-３３-９０（ガスクロマトグラフ法）に準拠して測定した値である。
【００１６】
本発明の無鉛ガソリンは、ベンゼン含有量が、１容量％以下、好ましくは０.８容量％以下である。このベンゼン含有量が１容量％以内であれば、大気中のベンゼン濃度の増加を防止し、環境汚染を低減できる可能性がある。なお、このベンゼン含有量は、石油学会法ＪＰＩ-５Ｓ-３３-９０（ガスクロマトグラフ法）に準拠して測定した値である。
【００１７】
本発明の無鉛ガソリンは、硫黄分含有量が、１０質量ｐｐｍ以下、好ましくは８質量ｐｐｍ以下である。この硫黄分含有量が１０質量ｐｐｍ以内であれば、排出ガス浄化触媒の能力低下を防止し、排出ガス中のＮＯｘ、ＣＯ、ＴＨＣの濃度上昇を防止できる可能性がある。なお、この硫黄分含有量は、ＪＩＳ Ｋ ２５４１に準拠して測定した値である。
【００１８】
本発明の無鉛ガソリンは、６０℃における気液比（Ｖ/Ｌ）が、３０〜７０、好ましくは３０〜６０である。このＶ/Ｌを３０以上とすることで、良好な始動性を確保することができる。また、Ｖ/Ｌを７０以下とすることで、加速性、運転性の不具合が低減できる可能性がある。なお、このＶ/Ｌは、ＡＳＴＭ Ｄ ２５３３-９３ａに準拠して測定した値である。
【００１９】
そして、本発明の無鉛ガソリンは、下記式（ａ）〔式中、３Ｒ-Ａは３環芳香族分量を表し、４Ｒ-Ａは４環芳香族分量を表し、５Ｒ-Ａは５環芳香族分量を表し、６Ｒ+-Ａは６環以上の芳香族分量を表す（何れの芳香族分量もガソリン中の含有量で質量ｐｐｍを示す）〕で表される多環芳香族指数（Ｙ）が６以下、好ましくは５.７以下である。
Y=（0.002×3R-A）＋（0.01×4R-A）＋（0.07×5R-A）＋（0.2×6R+-A）・・・（ａ）
３環の芳香族分、４環の芳香族分、５環の芳香族分、６環以上の芳香族分は、他の炭化水素成分に比べ、燃焼性が悪く、炭化しやすいため、エンジン内にデポジットを生成し、デポジットとして蓄積される。デポジットが生成される割合としては、環数の多い芳香族分ほどその割合が高い傾向にあり、環数の違った複数の芳香族分からのデポジットの生成具合を総合的に表すためには、３環の芳香族分、４環の芳香族分、５環の芳香族分、６環以上の芳香族分の含有量全体を一つの値として取り扱う必要がある。そこで、３環の芳香族分、４環の芳香族分、５環の芳香族分、６環以上の芳香族分の含有量をそれぞれｘ１、ｘ２・・・等の変数とし、吸気バルブに付着したデポジット（ＩＶＤ）重量をｙとして両者の関係を導いたものが多環芳香族指数（Ｙ）である。上記式（ａ）中の係数はデポジット生成の割合を示しており、環の数が多いほどデポジット生成割合が高くなることを示している。
上記指数（Ｙ）が６以下であれば、排出ガス中の有害成分の増加、及びエンジン内のデポジットの生成の増加を防ぐことができる。なお、これら多環芳香族分含有量は、以下に示すガスクロマトグラフ法により環数別の定量を行った値であり、定量法は環数別の代表的な標準試料による絶対検量線法とした。即ち、カラムには長さ３０ｍ、内径０.２５ｍｍであるジメチルシリコンのキャピラリーカラムを用い、検出器は水素イオン化検出器（ＦＩＤ）、キャリアガスは流量１.３ｍｌ/ｍｉｎのヘリウム、スプリットレス注入、注入口温度３００℃、検出器温度３５０℃の条件において、カラム温度を初期温度５０℃より終期温度３５０℃まで昇温させて測定した値である。
【００２０】
本発明の上記のような性状を有する無鉛ガソリンを製造するために用いる基材については、特に制限はないが、例えば、下記のような各種留分を基材として用いることができる。
（イ）含酸素基材に用いる含酸素化合物は特に限定されるものではないが、一般に用いられているエタノール（ＥｔＯＨ）、エチルターシャリーブチルエーテル（ＥＴＢＥ）、メチルターシャリーブチルエーテル（ＭＴＢＥ）、及びターシャリーアミルメチルエーテル（ＴＡＭＥ）等が挙げられる。なお、本発明においては、一般的に製造される純度９２.０%以上のエタノール（ＥｔＯＨ）、及び公知の製造法から得られるエチルターシャリーブチルエーテル（ＥＴＢＥ）が好ましく、それらの製造方法は特に限定されるものではない。
（ロ）重質の直留ナフサなどを接触改質法（プラットフォーミング法、マグナフォーミング法、アロマイジング法、レニフォーミング法、フードリフォーミング法、ウルトラフォーミング法、パワーフォーミング法等）により、水素気流中で高温・加圧下で触媒（例えば、アルミナ担体に白金やロジウムと塩素とを担持したもの等）と接触処理して得られた改質ガソリンからベンゼン留分を蒸留により取り除いた脱ベンゼン接触改質ガソリン。
（ハ）上記接触改質法により接触処理して得られた改質ガソリンを蒸留により、軽質留分、ベンゼン留分、重質留分に分けた内の軽質留分（脱ベンゼン軽質接触改質ガソリン）及び重質留分（脱ベンゼン重質接触改質ガソリン）。
（ニ）灯・軽油から常圧残油に至る石油留分、好ましくは重質軽油や減圧軽油を、従来から知られている接触分解法、特に流動接触分解法（ＵＯＰ法、シェル二段式法、フレキシクラッキング法、ウルトラオルソフロー法、テキサコ法、ガルフ法、ウルトラキャットクラッキング法、ＲＣＣ法、ＨＯＣ法等）により、固体酸触媒（例えば、シリカ・アルミナにゼオライトを配合したもの等）で分解して得られた接触分解ガソリン、またはそれを蒸留して得られる軽質接触分解ガソリン。
（ホ）イソブタンと低級オレフィン（ブテン、プロピレン等）を原料として、酸触媒（硫酸、フッ化水素、塩化アルミニウム等）の存在下で反応させて得られるアルキレート。
（ヘ）原油や粗油等の常圧蒸留時、改質ガソリン製造時、あるいは分解ガソリン製造時等に蒸留して得られるブタン、ブテン類を主成分としたＣ４留分。
（ト）直鎖の低級パラフィン系炭化水素の異性化によって得られるアイソメレート、あるいはアイソメレートを精密蒸留して得られるイソペンタン、接触改質ガソリンから得られるトルエン、キシレン、あるいは炭素数９以上の芳香族を主体とする成分等。
【００２１】
上記のような各種留分を、前記各性状を満たすように、該各種留分の性状等に応じて配合量を適宜選択して、適宜配合することにより本発明の無鉛ガソリンを製造することができる。
【００２２】
さらに、本発明の無鉛ガソリンには、必要に応じて、各種の添加剤を適宜配合することができる。このような添加剤としては、フェノール系、アミン系等の酸化防止剤、チオアミド化合物等の金属不活性剤、有機リン系化合物等の表面着火防止剤、長鎖脂肪族エステル・アミン等の摩擦調整剤、多価アルコール及びそのエーテル等の氷結防止剤、有機酸のアルカリ金属やアルカリ土類金属塩、高級アルコールの硫酸エステル等の助燃剤、アニオン系界面活性剤、カチオン系界面活性剤、両性界面活性剤等の帯電防止剤、アルケニル琥珀酸エステル等の錆止め剤、及びアゾ染料等の着色剤等、公知の燃料添加剤が挙げられる。これらを１種または数種組み合わせて添加することができる。これら燃料添加剤の添加量は任意であるが、通常、その合計添加量が０.１質量％以下とすることが好ましい。
【実施例】
【００２３】
以下に本発明の内容を実施例及び比較例により具体的に説明するが、本発明はこれらによって制限されるものではない。
【００２４】
実施例１〜６
接触分解装置、接触改質装置又は常圧蒸留装置から生成するＣ４留分（ブタン、ブテン類）、表１に示す性状の脱ベンゼン接触改質ガソリン、脱ベンゼン軽質接触改質ガソリン、脱ベンゼン重質接触改質ガソリン、軽質接触分解ガソリン、接触分解ガソリン、アルキレート、及びエタノール（ＥｔＯＨ）、エチルターシャリーブチルエーテル（ＥＴＢＥ）を表２に示す配合比で配合することにより、表２に記載する性状のガソリンを得た。
なお、実施例１〜６で得たガソリンには、市販されているポリエーテルアミン（ＰＥＡ）系清浄剤（数平均分子量（Ｍｎ）が１００〜１７００、多分散度（Ｍｗ／Ｍｎ）が４．３未満）と、市販されているポリイソブテンアミン（ＰＩＢＡ）系清浄剤（数平均分子量（Ｍｎ）が１００〜１３００、多分散度（Ｍｗ／Ｍｎ）が４．８未満）の両方を、総添加量が２００容量ｐｐｍになるように、５０：５０又は２５：７５の容量比で添加した。
【００２５】
【表１】
2008063380.tif 000002
【００２６】
比較例１〜５
実施例１〜６と同様のＣ４留分（ブタン、ブテン類）、脱ベンゼン接触改質ガソリン、脱ベンゼン軽質接触改質ガソリン、脱ベンゼン重質接触改質ガソリン、軽質接触分解ガソリン、接触分解ガソリン、アルキレート、及びエタノール（ＥｔＯＨ）、エチルターシャリーブチルエーテル（ＥＴＢＥ）を表３に示す配合比で配合することにより、表３に記載する性状のガソリンを得た。
なお、比較例１〜５で得たガソリンには、実施例１〜６で使用したポリエーテルアミン（ＰＥＡ）系清浄剤とポリイソブテンアミン（ＰＩＢＡ）系清浄剤のいずれか一方又は両方を、総添加量が２００容量ｐｐｍになるように添加し、両方を添加する場合は両者の容量比を５０：５０、２５：７５又は７５：２５とした。
【００２７】
上記実施例と比較例で得られたガソリンを用いて、以下に述べる各種の性能評価試験を行った。
（ａ）吸気バルブデポジット（ＩＶＤ）試験を、排気量１.５Ｌ、マルチポイントインジェクション（ＭＰＩ）方式の車両を用い、シャシーダイナモにおいて、６０−１００ｋｍ/ｈの加減速×１,５００サイクル（８,０００ｋｍ走行）の条件で行った。
（ｂ）始動性評価を、排気量２Ｌ、直接噴射方式（ＤＩ）、オートマチックトランスミッション（ＡＴ）の車両を用い、試験温度２０℃、湿度５０％の条件で行った。
【００２８】
上記評価ないし試験方法における具体的評価方法を以下に記し、その評価結果を表２及び３に示す。
（ＩＶＤ試験）
運転前後の吸気バルブ重量を秤量することにより得られる、吸気バルブに付着したデポジット（ＩＶＤ）重量により評価した。
（始動性）
クランキング開始から完爆までの時間（エンジンが自力で回転が続けられるようになるまでの時間）で評価した。
【００２９】
【表２】
2008063380.tif 000003
【００３０】
【表３】
2008063380.tif 000004
【００３１】
特許請求の範囲を全て満足している実施例はＩＶＤ量、始動性全ての面で良好な結果を示すが、本発明の構成を一つでも外した比較例では、これら性能の幾つかが実施例に比べて劣る結果となった。ガソリンを総合的に良好なものとするためには特許請求の範囲で規定するよう性状を調整する必要がある。
以上の結果から、本発明の無鉛ガソリンは、オクタン価が高く、吸気バルブの清浄性や始動性に優れ、優れた実用性能を維持しつつ大気環境の保全が図れるものであることは明らかである。